(57)【特許請求の範囲】
【請求項１】
内容物を冷却するように構成されたゴミ箱であって、
底板と、
前記底板上に配置されたコンプレッサと、
前記底板上であり、かつ、前記コンプレッサの周囲に配置された複数の柱と、
前記コンプレッサの上方に配置されており、前記内容物を収容するように構成された内箱と、
前記コンプレッサに溶接されるとともに、前記内箱の外周に取り付けられた冷却パイプと、
前記内箱の周囲を覆う第１カバーと、
前記コンプレッサに溶接されるとともに、前記第１カバーの内周に取り付けられた放熱パイプと、
前記第１カバー、前記コンプレッサ及び前記複数の柱の周囲を覆う第２カバーとを備える、ゴミ箱。
【請求項２】
前記複数の柱の上方であり、かつ、前記内箱の下方である位置に配置された中間板材をさらに備え、
前記中間板材、前記内箱及び前記第１カバーによって囲まれる空間には発泡材が充填されている、請求項１に記載のゴミ箱。
【請求項３】
前記底板の裏面には、前記コンプレッサに電力を供給するためのＡＣ（Alternating Current）アダプタを収容するための空間が形成されている、請求項１又は請求項２に記載のゴミ箱。
【発明の詳細な説明】
【技術分野】
【０００１】
本発明は、ゴミ箱に関し、特に、内容物を冷却するように構成されたゴミ箱に関する。
【背景技術】
【０００２】
特開平０３−０７０９７２号公報（特許文献１）は、内容物を冷却するように構成されたゴミ箱を開示する。このゴミ箱によれば、内容物が冷却されるため、たとえば、生ごみ等が収容された場合に、臭いの発生を抑制することができる。
【先行技術文献】
【特許文献】
【０００３】
【特許文献１】特開平０３−０７０９７２号公報
【発明の概要】
【発明が解決しようとする課題】
【０００４】
上記特許文献１に開示されているようなゴミ箱においては、たとえば、コンプレッサと各種パイプ（冷却パイプ等）とを溶接する必要がある。ゴミ箱の構造によっては、ゴミ箱の深い位置に手を入れることによって、この溶接を行なう必要があり、ゴミ箱を容易に製造することができない。
【０００５】
本発明は、このような問題を解決するためになされたものであって、その目的は、内容物を冷却するように構成されたゴミ箱であって、製造途中において、冷却パイプ及び放熱パイプとコンプレッサとを容易に溶接可能なゴミ箱を提供することである。
【課題を解決するための手段】
【０００６】
本発明に従うゴミ箱は、内容物を冷却するように構成されている。このゴミ箱は、底板と、コンプレッサと、複数の柱と、内箱と、冷却パイプと、第１カバーと、放熱パイプと、第２カバーとを備えている。コンプレッサは、底板上に配置されている。複数の柱は、底板上であり、かつ、コンプレッサの周囲に配置されている。内箱は、コンプレッサの上方に配置されており、内容物を収容するように構成されている。冷却パイプは、コンプレッサに溶接されるとともに、内箱の外周に取り付けられている。第１カバーは、内箱の周囲を覆う。放熱パイプは、コンプレッサに溶接されるとともに、第１カバーの内周に取り付けられている。第２カバーは、第１カバー、コンプレッサ及び複数の柱の周囲を覆う。
【０００７】
このゴミ箱の製造途中（第２カバーの取り付け前）においては、冷却パイプ及び放熱パイプがそれぞれ内箱及び第１カバーに取り付けられた状態で、コンプレッサを囲む複数の柱の間に空間が形成されている。したがって、作業者は、この空間に手を入れることによって、冷却パイプ及び放熱パイプとコンプレッサとの溶接を容易に行なうことができる。
【０００８】
上記ゴミ箱は、複数の柱の上方であり、かつ、内箱の下方である位置に配置された中間板材をさらに備え、中間板材、内箱及び第１カバーによって囲まれる空間には発泡材が充填されていてもよい。
【０００９】
上記ゴミ箱において、底板の裏面には、コンプレッサに電力を供給するためのＡＣ（Alternating Current）アダプタを収容するための空間が形成されていてもよい。
【００１０】
このゴミ箱においては、ＡＣアダプタが底板の裏面に収容される。したがって、このゴミ箱によれば、ＡＣアダプタが外部に露出しないため、ゴミ箱の美観を高品位に維持することができる。
【発明の効果】
【００１１】
本発明によれば、内容物を冷却するように構成されたゴミ箱であって、製造途中において、冷却パイプ及び放熱パイプとコンプレッサとを容易に溶接可能なゴミ箱を提供することができる。
【図面の簡単な説明】
【００１２】
【図１】ゴミ箱において蓋体が閉まった状態を斜め上方から示す斜視図である。
【図２】ゴミ箱において蓋体が開いた状態を斜め上方から示す斜視図である。
【図３】ゴミ箱において蓋体が閉まった状態を斜め下方から示す斜視図である。
【図４】ゴミ箱から化粧カバーを省略した状態を斜め上方から示す斜視図である。
【図５】図４に示される状態において内カバーを省略した状態を示す側面図である。
【図６】ゴミ箱における底板付近の拡大図である。
【図７】ゴミ箱の製造手順を示すフローチャートである。
【図８】変形例におけるゴミ箱から化粧カバーを省略した状態を斜め上方から示す斜視図である。
【発明を実施するための形態】
【００１３】
以下、本発明の実施の形態について、図面を参照しながら詳細に説明する。なお、図中同一又は相当部分には同一符号を付してその説明は繰り返さない。
【００１４】
［１．ゴミ箱の構成］
図１は、本実施の形態に従うゴミ箱１０において蓋体３００が閉まった状態を斜め上方から示す斜視図である。図２は、ゴミ箱１０において蓋体３００が開いた状態を斜め上方から示す斜視図である。図３は、ゴミ箱１０において蓋体３００が閉まった状態を斜め下方から示す斜視図である。
【００１５】
ゴミ箱１０は、内容物（生ゴミ、オムツ等）を冷却（冷凍）するように構成されている。ゴミ箱１０によれば、たとえば、内容物が冷凍されるため、内容物が生じる悪臭を抑制することができる。
【００１６】
図１、図２及び図３に示されるように、ゴミ箱１０は、ゴミ箱本体１００と、蓋体３００とを含んでる。ゴミ箱１０において、蓋体３００は、ゴミ箱本体１００に対して開閉可能である。蓋体３００が開かれた状態で、ゴミ箱本体１００の内部に生ゴミ等が投入される。
【００１７】
図３に示されるように、ゴミ箱本体１００は、底板１１０と、車輪１２０と、背面板材２３０と、化粧カバー１３０とを含んでいる。底板１１０は、矩形の各角にＲ（丸み）が形成された形状であり、たとえば、樹脂で構成されている。底板１１０には、複数の凹部Ｐ１が形成されており、各凹部Ｐ１には車輪１２０が取り付けられている。底板１１０には、さらに不図示の凹部（空間）が形成されており、該凹部にはＡＣアダプタ１４０が配置されている。ゴミ箱１０において消費される電力は、ＡＣアダプタ１４０を介して供給される。ＡＣアダプタ１４０は、落下しないように保持カバー１４５によって保持されている。すなわち、ゴミ箱１０においては、ＡＣアダプタ１４０が底板１１０の裏面に収容される。したがって、ゴミ箱１０によれば、ＡＣアダプタ１４０が外部に露出しないため、ゴミ箱１０の美観を高品位に維持することができる。
【００１８】
背面板材２３０は、たとえば、アルミ等の金属で構成されており、底板１１０の外周の一部から上方に延びている。背面板材２３０は、たとえば、溶接や糊付け等を行なうことによって、底板１１０に固定されている。
【００１９】
化粧カバー１３０は、略筒状であり、たとえば、アルミ等の金属で構成されている。化粧カバー１３０は、底板１１０の周囲のうち背面板材２３０が設けられていない位置から上方に延びている。平面視における化粧カバー１３０の各辺の長さは、底板１１０の各辺の長さよりも僅かに短い。化粧カバー１３０が取り付けられた状態で、底板１１０が下方から取り付けられることにより、化粧カバー１３０は固定される。
【００２０】
図４は、ゴミ箱１０から化粧カバー１３０を省略した状態を斜め上方から示す斜視図である。図５は、図４に示される状態において内カバー１５０を省略した状態を示す側面図である。図４及び図５に示されるように、ゴミ箱１０は、さらに、複数の柱１７０と、コンプレッサ１９０（直流コンプレッサ）と、ファン１９５と、内カバー１５０と、中間板材２４０と、内箱２２０と、放熱パイプ２００と、冷却パイプ２１０とを含んでいる。
【００２１】
複数の柱１７０の各々は、たとえば、スチールで構成されており、底板１１０の各角から上方に延びている。より具体的には、底板１１０の各角には上方に隆起する円柱状の隆起部１６０が形成されており、複数の柱１７０の各々は隆起部１６０の上面にネジ止めされている。なお、各隆起部１６０の裏面には、車輪１２０が取り付けられている。
【００２２】
中間板材２４０は、矩形の各角にＲ（丸み）が形成された形状であり、たとえば、樹脂で構成されている。中間板材２４０は、複数の柱１７０の上面に固定されている。
【００２３】
コンプレッサ１９０及びファン１９５の各々は、底板１１０と中間板材２４０との間の空間に配置されている。たとえば、コンプレッサ１９０及びファン１９５の各々は、底板１１０の上面にネジ止めされている。コンプレッサ１９０及びファン１９５の各々は、ＡＣアダプタ１４０を介して供給される電力を用いて作動する。ファン１９５は、コンプレッサ１９０を冷却するように構成されている。
【００２４】
内箱２２０は、たとえば、アルミ等の金属で構成されており、中間板材２４０の上方に配置されている。内箱２２０には、たとえば、生ゴミ等の内容物が収容される。内箱２２０の周囲には、冷却パイプ２１０が螺旋状に貼り付けられている。冷却パイプ２１０は、内箱２２０の略上端から略下端に至る範囲において、内箱２２０に巻き付けられている。冷却パイプ２１０内は、コンプレッサ１９０から供給される冷媒が通過する。
【００２５】
内カバー１５０は、たとえば、アルミ等の金属で構成されており、内箱２２０の周囲を覆う。内カバー１５０の内側には、放熱パイプ２００が螺旋状に貼り付けられている。放熱パイプ２００は、内カバー１５０の略上端から略下端に至る範囲において、内カバー１５０の内面に巻き付けられている。放熱パイプ２００内は、コンプレッサ１９０から供給される冷媒が通過する。内箱２２０と内カバー１５０との間の空間には、発砲材が充填されている。コンプレッサ１９０、放熱パイプ２００及び冷却パイプ２１０は、ゴミ箱１０（内箱２２０）の内部を冷却する冷却サイクルの一部を構成する。なお、該冷却サイクルは、不図示の凝縮器、膨張弁及び蒸発器を含んでいる。
【００２６】
ゴミ箱１０の製造途中（たとえば、図４に示される状態から底板１１０が取り外された状態）においては、冷却パイプ２１０及び放熱パイプ２００がそれぞれ内箱２２０及び内カバー１５０に貼り付けられた状態で、コンプレッサ１９０を囲む複数の柱１７０の間に空間が形成されている。したがって、作業者は、この空間に手を入れることによって、冷却パイプ２１０の溶接位置２１１及び放熱パイプ２００の溶接位置２０１と、コンプレッサ１９０の溶接位置１９２，１９１それぞれとの溶接を容易に行なうことができる。
【００２７】
図６は、ゴミ箱１０における底板１１０付近の拡大図である。図６に示されるように、底板１１０の周囲には、上方に延びる側壁部２５０が形成されている。側壁部２５０が形成されているため、たとえば、ゴミ箱１０の内部で結露が生じ水滴が落下したとしても、水が底板１１０上に溜まる。その結果、水がゴミ箱１０の外部に漏れ出さない。
【００２８】
各隆起部１６０の角には、孔Ｈ１が形成されている。孔Ｈ１は、底板１１０の裏面を介して外部空間と連通している。各孔Ｈ１は、たとえば、ファン１９５が生じさせる風の通路を形成している。すなわち、各孔Ｈ１は、排気口として機能する。仮に、各孔Ｈ１がゴミ箱１０の側面に形成されると、たとえば、幼児が該孔Ｈ１からゴミを入れる等のトラブルが生じる可能性がある。そこで、ゴミ箱１０においては、孔Ｈ１が底板１１０に形成されている。
【００２９】
一方、底板１１０に孔Ｈ１が形成されていると、ゴミ箱１０内部で結露した水滴が落下し底板１１０上に溜まった場合に、水が孔Ｈ１から漏れ出す可能性がある。そこで、ゴミ箱１０においては、孔Ｈ１が側壁部２５０の高さよりも高い位置に形成されている。したがって、底板１１０に溜まった水が孔Ｈ１から漏れ出しにくくなっている。すなわち、ゴミ箱１０によれば、内部で結露した水滴が外部に漏れだすことを抑制することができるとともに、ファン１９５が生じさせた風の通路を底板１１０に設けることができる。
【００３０】
［２．ゴミ箱の製造手順］
図７は、ゴミ箱１０の製造手順を示すフローチャートである。図７を参照して、作業者は、中間板材２４０の下方にコンプレッサ１９０、柱１７０等を取り付ける（ステップＳ１００）。その後、作業者は、内箱２２０の外面に冷却パイプ２１０を貼り付けつつ、内カバー１５０の内面に放熱パイプ２００を貼り付け、作られたユニットをステップＳ１００において作られたユニット上に取り付ける（ステップＳ１１０）。この状態で、図４に示される状態から底板１１０が省略されたユニットが出来上がる。
【００３１】
その後、作業者は、放熱パイプ２００及び冷却パイプ２１０と、コンプレッサ１９０とを溶接する（ステップＳ１２０）。その後、作業者は、ステップＳ１２０に出来上がったユニットの周囲に化粧カバー１３０を取り付け、底板１１０を下方から取り付ける（ステップＳ１３０）。これにより、ゴミ箱１０が完成する。
【００３２】
［３．特徴］
以上のように、本実施の形態に従うゴミ箱１０の製造途中（化粧カバー１３０の取り付け前）においては、冷却パイプ２１０及び放熱パイプ２００がそれぞれ内箱２２０及び内カバー１５０に取り付けられた状態で、コンプレッサ１９０を囲む複数の柱１７０の間に空間が形成されている。したがって、作業者は、この空間に手を入れることによって、冷却パイプ２１０及び内箱２２０とコンプレッサ１９０との溶接を容易に行なうことができる。
【００３３】
［４．変形例］
以上、実施の形態について説明したが、本発明は、上記実施の形態に限定されるものではなく、その趣旨を逸脱しない限りにおいて、種々の変更が可能である。以下、変形例について説明する。
【００３４】
上記実施の形態においては、内カバー１５０と内箱２２０との間の空間に発泡材が充填されることとした。しかしながら、必ずしも内カバー１５０と内箱２２０との間の空間に発泡材が充填されなくてもよい。
【００３５】
また、上記実施の形態においては、ＡＣアダプタ１４０が底板１１０の裏面に収容された。しかしながら、ＡＣアダプタ１４０は、必ずしも底板１１０の裏面に収容されなくてもよい。
【００３６】
また、上記実施の形態においては、底板１１０に４本の柱１７０が取り付けられた。しかしながら、底板１１０には必ずしも４本の柱１７０が取り付けられる必要はない。図８は、変形例におけるゴミ箱から化粧カバーを省略した状態を斜め上方から示す斜視図である。図８に示されるように、コの字状の柱部材１７０Ａが底板１１０Ａに取り付けられてもよい。柱部材１７０Ａは、柱部１７１，１７３及び底面部１７２を含む。底面部１７２が底板１１０Ａに取り付けられており、柱部１７１，１７３の各々は、底面部１７２から上方に延びている。柱部１７１，１７３の上方には中間板材２４０が取り付けられている。柱部１７３には、ファン１９５の風を通すための孔が設けられている。すなわち、この変形例に従うゴミ箱においては、柱部１７１と柱部１７３との間にコンプレッサ１９０が配置されており、作業者は、柱部１７１と柱部１７３との間の空間に手を入れることによって、冷却パイプ２１０及び内箱２２０とコンプレッサ１９０との溶接を容易に行なうことができる。
【符号の説明】
【００３７】
１０  ゴミ箱、１００  ゴミ箱本体、１１０  底板、１２０  車輪、１３０  化粧カバー、１４０  ＡＣアダプタ、１４５  保持カバー、１５０  内カバー、１６０，１８０  隆起部、１７０  柱、１７０Ａ  柱部材、１７１，１７３  柱部、１７２  底面部、１９０  コンプレッサ、１９１，１９２，２０１，２１１  溶接位置、１９５  ファン、２００  放熱パイプ、２１０  冷却パイプ、２２０  内箱、２３０  背面板材、２４０  中間板材、２５０  側壁部、３００  蓋体、Ｈ１  孔、Ｐ１  凹部。
【要約】
【課題】内容物を冷却するように構成されたゴミ箱であって、製造途中において、冷却パイプ及び放熱パイプとコンプレッサとを容易に溶接可能なゴミ箱を提供する。
【解決手段】ゴミ箱は、内容物を冷却するように構成されている。このゴミ箱は、底板と、コンプレッサと、複数の柱と、内箱と、冷却パイプと、第１カバーと、放熱パイプと、第２カバーとを備えている。コンプレッサは、底板上に配置されている。複数の柱は、底板上であり、かつ、コンプレッサの周囲に配置されている。内箱は、コンプレッサの上方に配置されており、内容物を収容するように構成されている。冷却パイプは、コンプレッサに溶接されるとともに、内箱の外周に取り付けられている。第１カバーは、内箱の周囲を覆う。放熱パイプは、コンプレッサに溶接されるとともに、第１カバーの内周に取り付けられている。第２カバーは、第１カバー、コンプレッサ及び複数の柱の周囲を覆う。
【選択図】図１【図１】
0006748767.tif 000002
【図２】
0006748767.tif 000003
【図３】
0006748767.tif 000004
【図４】
0006748767.tif 000005
【図５】
0006748767.tif 000006
【図６】
0006748767.tif 000007
【図７】
0006748767.tif 000008
【図８】
0006748767.tif 000009